(57)【特許請求の範囲】
【請求項１】
箱体を構成するユニット本体内に装着され、前面から空気を吸い込むと共に側面に吹き出すファンと、上記ファンの前面に配設されたベルマウスと、上記ファンの側面に配設された熱交換器とを備えた空気調和装置において、上記ベルマウスは、樹脂によって形成され、吸い込み口を有する基体部と、この基体部と一体成形され上記吸い込み口の周縁から上記基体部に対してほぼ垂直方向に上記ファン側に延在する周壁部とから構成され、上記周壁部の先端部に上記ファンに近づくに従って上記周壁部の内径が次第に大きくなるような傾斜面を形成したことを特徴とする空気調和装置。
【請求項２】
上記傾斜面は上記ベルマウスの周壁部の外側面との接合部が周壁部の内側面との接合部よりファン側に位置するように形成されたことを特徴とする請求項１記載の空気調和装置。
【請求項３】
箱体を構成するユニット本体内に装着され、前面から空気を吸い込むと共に側面に吹き出すファンと、上記ファンの側面に配設された熱交換器と、この熱交換器に装着され、上記ファンの前面で上記ファンの外径より大きい開口部を有するドレンパンと、上記ドレンパンの開口部に装着されたベルマウスとを備えた空気調和装置において、上記ベルマウスは、樹脂によって形成され、吸い込み口を有する基体部と、この基体部と一体成形され上記吸い込み口の周縁から上記ファン側に延在する周壁部と、上記基体部のファン側表面に設けられ上記ドレンパンの開口部の内周面に当接する凸部とを有することを特徴とする空気調和装置。
【請求項４】
上記ベルマウスの凸部は、断面が三角形状に形成されていることを特徴とする請求項３記載の空気調和装置。
【請求項５】
上記ドレンパンの開口部は、上記ベルマウス側の内周面角部を傾斜面にしたことを特徴とする請求項３記載の空気調和装置。
【請求項６】
箱体を構成するユニット本体内に装着され、前面から空気を吸い込むと共に側面に吹き出すファンと、上記ファンの側面に配設された熱交換器と、この熱交換器に装着され、上記ファンの前面で上記ファンの外径より大きい開口部を有するドレンパンと、上記ドレンパンの開口部に装着されたベルマウスとを備えた空気調和装置において、上記ドレンパンは、上記開口部を有する本体部と、この本体部の反熱交換器側で上記開口部より大径の他の開口部を形成するベルマウス取付部とから構成され、上記ベルマウスは、樹脂によって形成され、吸い込み口を有すると共に上記ドレンパンのベルマウス取付部と係合し得るようにされた基体部と、この基体部と一体成形され上記吸い込み口の周縁から上記ファン側に延在する周壁部と、上記基体部の端部から反ファン側に延在する固定部と、この固定部のドレンパン側に設けられた突出部とから構成されることを特徴とする空気調和装置。
【請求項７】
箱体を構成するユニット本体内に装着され、前面から空気を吸い込むと共に側面に吹き出すファンと、上記ファンの側面に配設された熱交換器と、この熱交換器に装着され、上記ファンの前面で上記ファンの外径より大きい開口部を有するドレンパンと、上記ドレンパンの開口部に装着されたベルマウスとを備えた空気調和装置において、上記ドレンパンは、上記開口部を有する本体部と、この本体部の反熱交換器側で上記開口部より大径の他の開口部を形成するベルマウス取付部とから構成され、上記ベルマウスは、樹脂によって形成され、吸い込み口を有すると共に上記ドレンパンのベルマウス取付部と係合し得るようにされた基体部と、この基体部と一体成形され上記吸い込み口の周縁から上記ファン側に延在する周壁部と、上記基体部のファン側表面に設けられ上記ドレンパンの開口部の内周面に当接する凸部と、上記基体部の端部から反ファン側に延在する固定部と、この固定部のドレンパン側に設けられた突出部とから構成されることを特徴とする空気調和装置。
【請求項８】
上記ベルマウスの固定部に設けられる突出部は、ベルマウスの基体部側に向けてなだらかに低下していく形状とされたことを特徴とする請求項６または請求項７記載の空気調和装置。
【請求項９】
箱体を構成するユニット本体内に装着され、前面から空気を吸い込むと共に側面に吹き出すファンと、上記ファンの側面に配設された熱交換器と、この熱交換器に装着され、上記ファンの前面で上記ファンの外径より大きい開口部を有するドレンパンと、上記ドレンパンの開口部に装着されたベルマウスとを備えた空気調和装置において、上記ユニット本体を板金製の外郭と、その内側に重ねて設けられる発泡スチロール製のインナーとで構成すると共に、上記ドレンパンに上記インナーの端面と当接する当接部を設け、上記インナーとドレンパンの当接部との当接面を、上記ドレンパンからインナー側への押圧力の作用時に上記インナーに対して上記外郭と接する方向に力が作用するような斜面としたことを特徴とする空気調和装置。
【発明の詳細な説明】
【０００１】
【発明の属する技術分野】
この発明は、空気調和装置、特にベルマウスを有する空気調和装置に関するものである。
【０００２】
【従来の技術】
図９は、従来の例えば天井設置形の空気調和装置の概略構成を示す断面図である。この図において、１は装置の箱体を構成するユニット本体で、下方から見た形状がほぼ四角形に形成されている。２は吸い込み形のファンで、ユニット本体内の中央部に装着されたモータ３によって駆動され、前面から空気を吸い込むと共に、側面に吹き出すようにされている。４はファン２の側面に配設された熱交換器で、ファン２を囲むようにユニット本体１の内側に設けられている。
５はドレンパンで、熱交換器４の下部に配設され、ファン２に対向する部分にファンの外径より大きい辺の四角状の開口部６を有すると共に、ユニット本体の外周部１Ａとの間に熱交換器４を経た空気の吹き出し口７を形成している。
【０００３】
８は板金製のベルマウスで、構成及び固定方法については後述する。９はユニット本体１の下端に設けられ、ドレンパン５及びベルマウス８をカバーするパネル、１０はパネル９の中央部に、ベルマウス８に対応して装着されたフィルタ、１１はフィルタ１０の外方でパネル９に装着されたメンテナンスパネル、１２は吸い込み口、１３は吹き出し口７のルーバである。
図１０は、図９において円１４で囲んだ部分を拡大して示す概略構成図である。この図において、板金製のベルマウス８は、ドレンパン５の四角状の開口部６に対応した外形を有する基体部８Ａと、この基体部８Ａからファン側に折曲され、ファン２に対応した位置で円形の吸い込み口１５を形成する周壁部８Ｂとから構成されている。また、ベルマウスの基体部８Ａの端部は、四角状の各辺に風漏れ防止用のシール材１６を介して４本のねじ１７によってドレンパン５に固定されている。ベルマウス８は板金製であるため、周壁部８Ｂは容易に形成することができ、周壁部８Ｂの先端部８Ｃは内径を拡大するように外側に向けて折曲され、ファン２の吸い込み圧力損を低減するようにしている。
【０００４】
図１１は、図９において、円１４で囲んだ部分の構成の他の例を拡大して示す概略図である。この例では、ベルマウス８は樹脂製であり、周壁部８Ｂの先端部８Ｃを図１０に示す板金製の場合と同様に、外側に向けて折曲させようとすれば、樹脂成形時にスライド型が必要となり、金型費が増大するため、外側に向けた折曲構造とはせず、基体部８Ａの延長方向に対して垂直または吸い込み口１５側に僅かに傾斜した構成とし、樹脂成形時の型抜きが容易となるようにしている。
【０００５】
【発明が解決しようとする課題】
従来の空気調和装置は以上のように構成されており、図１０に示すように、ベルマウス８を板金製としてベルマウス部の圧力損失を低減する構成とした場合には、樹脂製に比べてコストが増大するという問題点があった。
逆に、コスト低減のために図１１に示すように、ベルマウス８を樹脂製とした場合には、型抜きを容易にする観点から周壁部８Ｂの先端部８Ｃを外側に折曲して内径を拡大できないため、ベルマウス部の圧力損失が板金製に比べて増大するという問題点があった。また、ベルマウス部の風漏れに対するシール性を向上させるために、ドレンパン５とベルマウス８との間にシール材１６を設けると共に、固定用のねじ１７が必要になるという問題点があった。
この発明は、上記のような問題点を解消するためになされたもので、ベルマウスを樹脂製にしてコスト低減を図ると共に、ベルマウス部の圧力損失も改善することができる空気調和装置を提供することを目的とする。
【０００６】
【課題を解決するための手段】
この発明に係る空気調和装置は、箱体を構成するユニット本体内に装着され、前面から空気を吸い込むと共に側面に吹き出すファンと、上記ファンの前面に配設されたベルマウスと、上記ファンの側面に配設された熱交換器とを備えた空気調和装置において、上記ベルマウスは、樹脂によって形成され、吸い込み口を有する基体部と、この基体部と一体成形され上記吸い込み口の周縁から上記基体部に対してほぼ垂直方向に上記ファン側に延在する周壁部とから構成され、上記周壁部の先端部に上記ファンに近づくに従って上記周壁部の内径が次第に大きくなるような傾斜面を形成したものである。
【０００７】
この発明に係る空気調和装置は、また、上記傾斜面は上記ベルマウスの周壁部の外側面との接合部が周壁部の内側面との接合部よりファン側に位置するように形成されたものである。
【０００８】
この発明に係る空気調和装置は、また、箱体を構成するユニット本体内に装着され、前面から空気を吸い込むと共に側面に吹き出すファンと、上記ファンの側面に配設された熱交換器と、この熱交換器に装着され、上記ファンの前面で上記ファンの外径より大きい開口部を有するドレンパンと、上記ドレンパンの開口部に装着されたベルマウスとを備えた空気調和装置において、上記ベルマウスは、樹脂によって形成され、吸い込み口を有する基体部と、この基体部と一体成形され上記吸い込み口の周縁から上記ファン側に延在する周壁部と、上記基体部のファン側表面に設けられ上記ドレンパンの開口部の内周面に当接する凸部とを有するものである。
【０００９】
この発明に係る空気調和装置は、また、上記ベルマウスの凸部を、断面が三角形状に形成するものである。
【００１０】
この発明に係る空気調和装置は、また、上記ドレンパンの開口部の上記ベルマウス側の内周面角部を傾斜面にしたものである。
【００１１】
この発明に係る空気調和装置は、また、上記ドレンパンが、上記開口部を有する本体部と、この本体部の反熱交換器側で上記開口部より大径の他の開口部を形成するベルマウス取付部とから構成され、上記ベルマウスが、樹脂によって形成され、吸い込み口を有すると共に上記ドレンパンのベルマウス取付部と係合し得るようにされた基体部と、この基体部と一体成形され上記吸い込み口の周縁から上記ファン側に延在する周壁部と、上記基体部の端部から反ファン側に延在する固定部と、この固定部のドレンパン側に設けられた突出部とから構成されるものである。
【００１２】
この発明に係る空気調和装置は、また、上記ドレンパンが、上記開口部を有する本体部と、この本体部の反熱交換器側で上記開口部より大径の他の開口部を形成するベルマウス取付部とから構成され、上記ベルマウスが、樹脂によって形成され、吸い込み口を有すると共に上記ドレンパンのベルマウス取付部と係合し得るようにされた基体部と、この基体部と一体成形され上記吸い込み口の周縁から上記ファン側に延在する周壁部と、上記基体部のファン側表面に設けられ上記ドレンパンの開口部の内周面に当接する凸部と、上記基体部の端部から反ファン側に延在する固定部と、この固定部のドレンパン側に設けられた突出部とから構成されるものである。
【００１３】
この発明に係る空気調和装置は、また、上記ベルマウスの固定部に設けられる突出部を、ベルマウスの基体部側に向けてなだらかに低下していく形状としたものである。
【００１４】
この発明に係る空気調和装置は、また、上記ユニット本体を板金製の外郭と、その内側に重ねて設けられる発泡スチロール製のインナーとで構成すると共に、上記ドレンパンに上記インナーの端面と当接する当接部を設け、上記インナーとドレンパンの当接部との当接面を、上記ドレンパンからインナー側への押圧力の作用時に上記インナーに対して上記外郭と接する方向に力が作用するような斜面としたものである。
【００１５】
【発明の実施の形態】
実施の形態１．
以下、この発明の実施の形態１を図にもとづいて説明する。図１は、実施の形態１の概略構成を示す断面図である。この図において、１は装置の箱体を構成するユニット本体で、板金製の外郭１Ａと、その内側に重ねて設けられる発泡スチロール製のインナー１Ｂとで構成され、下方から見た形状がほぼ四角形に形成されている。２は吸い込み形のファンで、ユニット本体１内の中央部に装着されたモータ３によって駆動され、前面から空気を吸い込むと共に、側面に吹き出すようにされている。４はファン２の側面に配設され、Ｕ字状に形成された熱交換器で、図２に示すように、２つの直線部４Ａとファン２との距離及び湾曲部４Ｂとファン２との距離が等しくなるように、ファン２を囲むような形でユニット本体１内に設けられている。なお、図１に円４Ｃで示す熱交換器４とインナー１Ｂとの当接部は、図３に示すように、インナー１Ｂの熱交換器４との対向部に突起１Ｃを熱交換器４の積長に合わせて、また、列ピッチの間隔で数列分、形成し熱交換器４の上面を突起１Ｃがややつぶれ気味となるまで突起１Ｃに押し当てて両者間の隙間がなくなるようにしている。
【００１６】
５はドレンパンで、熱交換器４の下部に配設され、ファン２に対向する部分にファン２の外径より大きい辺の四角状の開口部６Ａを有する本体部５Ａと、この本体部の反熱交換器側に位置して上記開口部６Ａより大径の他の開口部６Ｂを形成するベルマウス取付部５Ｂと、このベルマウス取付部との間に熱交換器４を経た空気の吹き出し口７を形成すると共に、ユニット本体１のインナー１Ｂの端面と当接する傾斜端面５Ｃを有する周縁部５Ｄとから構成されている。なお、傾斜端面５Ｃはドレンパンのユニット本体１への挿入時に、周縁部５Ｄをインナー１Ｂ側へ押圧してインナー１Ｂに押圧力を作用させた時、インナー１Ｂに対して外郭１Ａと接する方向に力が作用するように図示のような傾斜面とされている。
８は樹脂成形されたベルマウスで、構成及び固定方法については後述する。
【００１７】
９はユニット本体１の下端に設けられ、ドレンパン５及びベルマウス８をカバーするパネル、１０はパネル９の中央部に、ベルマウス８に対応して装着されたフィルタ、１１はフィルタ１０の下方でパネル９に装着されたメンテナンスパネルで、フィルタ１０やファン２、モータ３のメンテナンス時に容易に取り外しできる構成とされている。１２は室内の空気を吸い込む吸い込み口、１３は吹き出し口７のルーバである。また、図２において、２０は熱交換器４に結合され、熱交換用の媒体を外部から供給するための配管、２１はドレンパン５に溜まったドレン水を機外へ排出するためのドレンポンプセットで、図４に示すように、インナー１Ｂと一体に成形された発泡スチロール製のインナー１Ｄにインサートされた板金（図示せず）に固定されたドレンポンプ２２とドレンポンプカバー２３とから構成され、ユニット本体１の外郭１Ａから電気的に絶縁された状態でドレンポンプ２２の吸い込み口がドレンパン５のドレン水中に位置するように設けられている。
【００１８】
ドレンポンプカバー２３は、ドレンポンプ２２が異常により高温または万一発火した場合でも、近辺のインナー１Ｂやドレンパン５に延焼するのを防ぐためのものである。また、ドレンポンプセット２１は発泡スチロール製のインナー１Ｄ及び１Ｂを介してユニット本体１の外郭１Ａに結合されているため、ドレンポンプ２２の振動は両インナー１Ｄ及び１Ｂによって吸収されることになる。
なお、図２の２４はメンテナンス用カバーで、ドレンパン５を取り外すことなく、ドレンポンプセット２１や配管２０のメンテナンスが出来るようにするために設けられたものである。即ち、これらのメンテナンス時には、ユニット本体１の下面からメンテナンスパネル１１とフィルタ１０を取り外し、更にベルマウス８及びファン２を取り外すことにより、メンテナンス用カバー２４を取り外すことができる。
【００１９】
図５は、樹脂成形されたベルマウス８の構成を示すもので、（ａ）は斜視図、（ｂ）は平面図、（ｃ）は（ｂ）のＡ−Ａ線における断面図である。
これらの図において、８Ａは吸い込み口１５を有する基体部、８Ｂは吸い込み口１５の周縁から基体部８Ａに対してほぼ垂直方向、即ち、ユニット本体１への取付状態においてファン２側に延在する周壁部で、その先端部８Ｃは先端に向けて、即ちユニット本体１への取付状態においてはファン２に近づくに従って厚さを薄くし、その内径が次第に大きくなるような傾斜面８Ｄとされている。
また、８Ｅは基体部８Ａのファン２側表面に設けられた凸部で、図１に円１４で囲んだ部分の拡大構成図を図６に示すように、断面が三角形状に形成され、その斜面をドレンパン５の開口部６の内周面５Ｅに当接させることにより、ベルマウス８の位置決めを容易にしている。
【００２０】
また、ドレンパン５の開口部６の内周面５Ｅは、ベルマウス側の角部５Ｆを図７に示すように、ベルマウスの凸部８Ｅの斜面に対応した傾斜面にして、三角形状の凸部８Ｅとの係合を容易にすることにより、ベルマウスの位置決めを更に容易、確実にしている。８Ｆは基体部８Ａのうち対向する２辺の端部から周壁部８Ｂの延在方向とは逆方向、即ちユニット本体１への取付状態において反ファン側に延在する板状の固定部、８Ｇは固定部８Ｆの外面、即ちベルマウス８の取付時にドレンパン５側となる面に設けられた突出部で、図５（ｃ）、図６等に示されるように、基体部８Ａ側に向けてなだらかに低下していく形状とされている。
図７に示すように、対向する２つの固定部８Ｆの各突出部８Ｇの頂点間の寸法Ｌ２とドレンパンのベルマウス取付部５Ｂの開口部６Ｂの寸法Ｌ１との関係は、Ｌ２＝Ｌ１＋αとなっており、２つの突出部８Ｇの合計突出寸法がαに相当する。
【００２１】
従って、図７に矢印Ｘで示すように、ベルマウス８をドレンパン５のベルマウス取付部５Ｂに挿入すると、突出部８Ｇがドレンパン５のベルマウス取付部５Ｂと係合し、その係合位置が挿入の進行につれてなだらかに高くなるため、ベルマウスの固定部８Ｆには図７に矢印Ｙで示すように、内側に曲げる力が作用し、その結果、図７に矢印Ｚで示すように、ベルマウス８の底部を図において上方に押し上げる力が作用し、三角形状の凸部８Ｅがドレンパン５の開口部６Ａの内周面５Ｅ側に変位するため図６及び図８に示すように、ドレンパンの内周面５Ｅとベルマウスの凸部８Ｅとが密着性を増す。この状態で固定部８Ｆは、図８に示すように、ねじ３０によってドレンパンのベルマウス取付部５Ｂに固定されるが、上述した曲げ力の作用によってねじ止めされていない個所でもドレンパンに対する密着性が高いため、ねじ止め個所を２個所に抑えることができる。
【００２２】
このような構成において、モータ３に給電すると、ファン２が回転駆動されるため、吸い込み口１２から室内の空気が吸い込まれ、フィルタ１０を通過してベルマウス８により滑らかに縮流されてファン２に吸い込まれる。
吸い込まれた空気は、熱交換器４に向けて吹き出され、熱交換器４で熱交換された後、吹き出し口７から室内に向けて吹き出される。ファン２に吸い込まれる空気はベルマウス８の周壁部８Ｂの表面に沿う流れとなり、ベルマウス８の形状により吸い込み空気の圧力損失が変化する。特に、急拡大、急縮小は圧力損失が大きいが、この実施の形態では、樹脂成形時に周壁部８Ｂの板厚を大きめに設定し、その先端部８Ｃを、ファン２に近づくに従って内径が次第に大きくなるような傾斜面８Ｄとしているため、樹脂成形時にスライド型を使用することなく、圧力損失を小さく抑えることが出来る。
【００２３】
また、この実施の形態では図１に示すように、ユニット本体１が板金製の外郭１Ａと発泡スチロール製のインナー１Ｂとで構成され、インナー１Ｂは板金よりもたわみやすいため、外郭１Ａとインナー１Ｂとの間に隙間が生じる場合がある。しかし、インナー１Ｂの端面とドレンパンの周縁部５Ｄとの当接面を図１に示すような斜面５Ｃとしているため、ドレンパン５をユニット本体１に挿入する際、図１において上向きの力が斜面５Ｃで上向きの力と外向きの横方向の力とに分けられ、横方向の力によってインナー１Ｂが外郭１Ａに押圧されるため、インナー１Ｂと外郭１Ａとを密着させることができる。
【００２４】
【発明の効果】
この発明に係る空気調和装置は、箱体を構成するユニット本体内に装着され、前面から空気を吸い込むと共に側面に吹き出すファンと、上記ファンの前面に配設されたベルマウスと、上記ファンの側面に配設された熱交換器とを備えた空気調和装置において、上記ベルマウスは、樹脂によって形成され、吸込口を有する基体部と、この基体部と一体成形され上記吸込口の周縁から上記ファン側に延在する周壁部とから構成され、上記周壁部の先端部が上記ファンに近づくに従ってその内径が次第に大きくなるような形状とされているため、ベルマウスの製造が容易となりコストを低減することができ、かつ吸い込み圧力損失を小さく抑えることができる。
【００２５】
この発明に係る空気調和装置は、また、箱体を構成するユニット本体内に装着され、前面から空気を吸い込むと共に側面に吹き出すファンと、上記ファンの側面に配設された熱交換器と、この熱交換器に装着され、上記ファンの前面で上記ファンの外径より大きい開口部を有するドレンパンと、上記ドレンパンの開口部に装着されたベルマウスとを備えた空気調和装置において、上記ベルマウスは、樹脂によって形成され、吸込口を有する基体部と、この基体部と一体成形され上記吸込口の周縁から上記ファン側に延在する周壁部と、上記基体部のファン側表面に設けられ上記ドレンパンの開口部の内周面に当接する凸部とを有するものであるため、ベルマウスの位置決めが容易となる他、シール材を使用することなくベルマウスを固定することができる。
【００２６】
この発明に係る空気調和装置は、また、上記ドレンパンの開口部の上記ベルマウス側の内周面角部を傾斜面にしたものであるため、ドレンパンとベルマウスとの密着性を更に向上させることができる。
【００２７】
この発明に係る空気調和装置は、また、上記ドレンパンが、上記開口部を有する本体部と、この本体部の反熱交換器側で上記開口部より大径の他の開口部を形成するベルマウス取付部とから構成され、上記ベルマウスが、樹脂によって形成され、吸込口を有すると共に上記ドレンパンのベルマウス取付部と係合し得るようにされた基体部と、この基体部と一体成形され上記吸込口の周縁から上記ファン側に延在する周壁部と、上記基体部の端部から反ファン側に延在する固定部と、この固定部のドレンパン側に設けられた突出部とから構成されるものであるため、ベルマウスの装着時にベルマウスの中央部がファン側に凸となるように変形する結果、ベルマウスの固定個所以外の部分もドレンパンに密着し、シール性を上げることができる。このため、ねじ止め等の固定個所を削減することができる。
【００２８】
この発明に係る空気調和装置は、また、上記ユニット本体を板金製の外郭と、その内側に重ねて設けられる発泡スチロール製のインナーとで構成すると共に、上記ドレンパンに上記インナーの端面と当接する当接部を設け、上記インナーとドレンパンの当接部との当接面を、上記ドレンパンからインナー側への押圧力の作用時に上記インナーに対して上記外郭と接する方向に力が作用するような斜面としたため、ドレンパンのユニット本体への挿入装着時にドレンパンとインナーとが当接する斜面において、ドレンパンの挿入方向の力と外向きの力とに分かれ、外向きの力によってインナーが外郭に押圧される結果、インナーと外郭とを密着させることができる。
【図面の簡単な説明】
【図１】  この発明の実施の形態１の概略構成を示す断面図である。
【図２】  実施の形態１における内部構成を下面から見た状態を示す概略図である。
【図３】  実施の形態１における熱交換器とユニット本体内面との関係を示す部分拡大図である。
【図４】  実施の形態１におけるドレンポンプセットの取付状態を示す内部構成図である。
【図５】  実施の形態１におけるベルマウスの構成を示すもので、（ａ）は斜視図、（ｂ）は平面図、（ｃ）は（ｂ）のＡ−Ａ線における断面図である。
【図６】  図１において円１４で囲んだ部分を拡大して示す概略構成図である。
【図７】  実施の形態１におけるベルマウスの取付時の状況を説明するための説明図である。
【図８】  実施の形態１におけるベルマウスの取付状態を示す概略図である。
【図９】  従来の空気調和装置の概略構成を示す断面図である。
【図１０】  図９において円１４で囲んだ部分を拡大して示す概略構成図である。
【図１１】  図９において円１４で囲んだ部分の他の構成の例を拡大して示す概略構成図である。
【符号の説明】
１  ユニット本体、  １Ａ  外郭、  １Ｂ，１Ｄ  インナー、  ２  ファン、３  モータ、  ４  熱交換器、  ５  ドレンパン、  ６Ａ，６Ｂ  開口部、  ７  吹き出し口、  ８  ベルマウス、  ８Ａ  基体部、  ８Ｂ  周壁部、  ８Ｃ先端部、  ８Ｄ  傾斜面、  ８Ｅ  凸部、  ８Ｆ  固定部、  ８Ｇ  突出部、９  パネル、  １０  フィルタ、  １１  メンテナンスパネル、  １２，１５吸い込み口、  ２０  配管、  ２１  ドレンポンプセット、  ２２  ドレンポンプ、  ２３  ドレンポンプカバー、  ２４  メンテナンス用カバー、  ３０  ねじ。
【図１】
0003908570.tif 000002
【図２】
0003908570.tif 000003
【図３】
0003908570.tif 000004
【図４】
0003908570.tif 000005
【図５】
0003908570.tif 000006
【図６】
0003908570.tif 000007
【図７】
0003908570.tif 000008
【図８】
0003908570.tif 000009
【図９】
0003908570.tif 000010
【図１０】
0003908570.tif 000011
【図１１】
0003908570.tif 000012